(57)【要約】【課題】プーリーハブと外側プーリーとが一体的に形成されているため、ベルトの種類や駆動方式等に合わせてプーリーを交換するときに、プーリーハブごと交換する必要があり、オイルシールがめくれてしまったり、オイルシールを痛めてしまったりして、上手くオイルシールと噛み合わせることが困難であった。その結果、プーリーの交換作業が面倒なものとなっていた。また、プーリーハブごと交換するため、その分製造コストが高くなっていた。【解決手段】エンジン１のクランク軸７の一端に取り付けるプーリー８において、前記プーリー８をクランク軸７に取り付けるプーリーハブ３１と、ベルトを巻回する外側プーリー３２に分割した。また、前記プーリーハブ３１を断面視「凸」状に構成し、外側プーリー３２・４２・５２を断面視「凹」状に構成した。【選択図】図３
2006183677.tif 000002
【特許請求の範囲】
【請求項１】
エンジンのクランク軸の一端に取り付けるプーリーにおいて、
前記プーリーをクランク軸に取り付けるプーリーハブと、ベルトを巻回する外側プーリーに分割したことを特徴とするプーリー。
【請求項２】
前記プーリーハブを断面視「凸」状に構成し、外側プーリーを断面視「凹」状に構成したことを特徴とする請求項１に記載のプーリー。
【請求項３】
前記プーリーハブの一端に縁部を設け、該縁部と前記外側プーリーの側面にボルト孔をそれぞれ位置を合わせて開口し、ボルトにて両者を固定したことを特徴とする請求項１に記載のプーリー。
【請求項４】
前記プーリーハブ及び外側プーリーの軸心部に貫通孔を開口したことを特徴とする請求項１乃至請求項３のいずれかに記載のプーリー。
【発明の詳細な説明】
【技術分野】
【０００１】
本発明は、エンジンのクランク軸等に着脱自在に取り付けられるプーリーの技術に関する。
【背景技術】
【０００２】
従来から、エンジンのクランク軸の一端部には、クランクプーリーを取り付けて、該クランクプーリーよりベルトを介して、冷却水ポンプ等の補機に動力を伝達するように構成し、他端部を出力側としていた。
このクランクプーリーはクランク軸の先端に外嵌固定されるが、そのエンジン側の側面にはギアケースが取り付けられており、該ギアケースからオイル漏れや水の浸入等が生じないように、ギアケースとクランクプーリーのハブ外周との間にはオイルシールが介装されている。このギアケースの外側に、クランクプーリーがクランク軸のキーに沿って挿入して固定するようにしていた。
【０００３】
そして、クランクプーリー６０は、図１０に示すように、クランク軸に挿入される部分であるプーリーハブ６０ａと、ベルトが巻回される外側プーリー６０ｂとが一体的に形成されており、該プーリーハブ６０ａの外周とギヤケースの間にオイルシールが配設されるようにしており、このようなクランクプーリー６０の交換を行う際は、プーリーハブ６０ａごとクランク軸から取り外していた（例えば、特許文献１参照。）。
【特許文献１】特開平３−２８１９４２号公報
【発明の開示】
【発明が解決しようとする課題】
【０００４】
しかし、上述のように、従来のプーリー６０はプーリーハブ６０ａと外側プーリー６０ｂとが一体的に形成されているため、ベルトの種類や駆動方式等に合わせてプーリー６０を交換するときに、プーリーハブ６０ａごと抜く必要があり、プーリー６０の交換の際にオイルシールがめくれてしまったり、オイルシールを痛めてしまったりして、上手くプーリー６０（プーリーハブ６０ａ）にオイルシールを嵌め込むことが困難であった。その結果、プーリー６０の交換作業が面倒なものとなっていた。また、ベルトの種類や駆動方式に合わせるためにプーリー６０ごと交換するため、その数だけ必要となり製造コストが高くなっていた。
【課題を解決するための手段】
【０００５】
本発明の解決しようとする課題は以上の如くであり、次にこの課題を解決するための手段を説明する。
【０００６】
即ち、請求項１においては、エンジンのクランク軸の一端に取り付けるプーリーにおいて、
前記プーリーをクランク軸に取り付けるプーリーハブと、ベルトを巻回する外側プーリーに分割したものである。
【０００７】
請求項２においては、前記プーリーハブを断面視「凸」状に構成し、外側プーリーを断面視「凹」状に構成したものである。
【０００８】
請求項３においては、前記プーリーハブの一端に縁部を設け、該縁部と前記外側プーリーの側面にボルト孔をそれぞれ位置を合わせて開口し、ボルトにて両者を固定したものである。
【０００９】
請求項４においては、前記プーリーハブ及び外側プーリーの軸心部に貫通孔を開口したものである。
【発明の効果】
【００１０】
本発明の効果として、以下に示すような効果を奏する。
【００１１】
請求項１においては、ベルトの種類や駆動方式等に合わせて外側プーリーのみを変更することができるので、交換作業が容易にできる。また、外側プーリーのみ変更するので製造コストが低減できる。加えて、プーリーの交換作業時にオイルシールのめくれ等の懸念がなくなる。
【００１２】
請求項２においては、プーリーハブと外側プーリーの嵌合時に、接触面積を大きくすることができる。また、該嵌合状態において安定して回転力を伝えることができる。
【００１３】
請求項３においては、ボルトの着脱により簡単にプーリーハブと外側プーリーを固定したり外したりできる。
【００１４】
請求項４においては、プーリーハブと外側プーリーとを一体的に固定した状態でクランク軸に対して着脱・固定することができる。更に外側に他のプーリーを連結することができ、出力の取出ができる。
【発明を実施するための最良の形態】
【００１５】
次に、発明の実施の形態を説明する。
図１は本発明のクランクプーリー８を有するエンジン１の概略図、図２はクランクプーリー８をクランク軸７に固設した状態を示す側面断面図、図３は外側プーリー３２をプーリーハブ３１に固設した状態を示す側面断面図、図４はプーリーハブ３１の側面断面図、図５は同じく正面図、図６は同じく背面図、図７は外側プーリー３２の側面断面図、図８は同じく正面図、図９は外側プーリー５２をプーリーハブ３１に固設した状態を示す側面断面図、図１０は従来のクランクプーリー６０を示す側面断面図である。
【００１６】
まず、本発明のプーリーを具備するエンジン１の概略構成ついて図１、図２より説明する。本実施例では、クランク軸７に取り付けるクランクプーリー８を用いて説明するが、本発明のプーリーはクランクプーリー８に限定するものではなく、軸に対して着脱可能なプーリー全般に適用可能なものである。
【００１７】
エンジン１のシリンダブロック２の上方にはシリンダヘッド３が取り付けられ、該シリンダヘッド３上部はシリンダヘッドカバー４で覆われている。
また、シリンダブロック２の下方にはオイルパン９が設けられており、該オイルパン９内には潤滑油が貯留されており、該潤滑油によってエンジン１内部のクランクシャフトの軸受部や、コネクティングロッドの連結部等が潤滑される。
【００１８】
シリンダブロック２の一側面にはギアケース５が取り付けられており、該ギアケース５内にはクランク軸７からの駆動力をカム軸（図示せず）や潤滑油ポンプ（図示せず）等へ伝達するためのギア等を収納している。
該ギアケース５には、開口部５ａ（図２図示）が形成されており、該開口部５ａから外側方向へクランク軸７が突出している。そして、冷却ファン１８や冷却ポンプ等の補機を駆動するためのクランクプーリー８が該クランク軸７に嵌入して固定されている。
また、シリンダブロック２の他側面には、出力軸を突設してフライホイル（図示せず）を固設し、該フライホイルはフライホイルハウジング６に収納されている。
【００１９】
次に、本発明のクランクプーリー８について、図２及び図３より説明する。
図２及び図３に示すように、前記クランクプーリー８はプーリーハブ３１と外側プーリー３２より構成されている。詳しくは、クランク軸７に挿入するための貫通孔３１ｂを有するプーリーハブ３１と、該プーリーハブ３１の外側に固定する外側プーリー３２より構成されているものである。
【００２０】
前記プーリーハブ３１の軸心部には、クランク軸７や後述する座金１５を嵌入するための貫通孔３１ｂが形成されており、外側プーリー３２の軸心部にも、前記座金１５やプーリーハブ３１を嵌入するための貫通孔３２ｂが形成されている。
【００２１】
クランク軸７の一端部は、ギアケース５から突出しており、この突出部分にクランクプーリー８のプーリーハブ３１が外嵌固定される。該クランク軸７の一端部はシリンダブロック２側の根元側が大径に、外側の先端側が小径に形成されるテーパ形状の軸となっており、プーリーハブ３１を嵌入しやすくなっている。
また、該クランク軸７の外端面には、クランク軸７の軸中心に螺子穴７ａが形成されて、固定螺子１６により座金１５を介してクランクプーリー８を固定できるようにしている。
【００２２】
次にクランクプーリー８のプーリーハブ３１について、図４乃至図６を用いて説明する。
プーリーハブ３１は、スチール等で形成されており、エンジン本体側に位置してクランク軸７に外嵌して固定するためのボス部３１ｆと、クランク軸７とは逆側（外側）に設けて外側プーリー３２を固定するための縁部３１ｇとから一体的に構成されるものである。換言すれば、プーリーハブ３１は、図４に示すように、側面断面視において、略「凸」状に形成されて、小径でパイプ状部分がボス部３１ｆとなり、大径で円板状部分が縁部３１ｇとなり、軸心に貫通孔３１ｂが開口されているものである。
【００２３】
前記プーリーハブ３１の貫通孔３１ｂは、内径が異なる大径部３１ｃと小径部３１ｄとが形成され、エンジン１の外方側に大径部３１ｃが、内方側に小径部３１ｄが形成されている。更に、小径部３１ｄの内周面はテーパ形状に形成されており、該小径部３１ｄに嵌入される前記クランク軸７の一端部が嵌入される。そして、図２に示すように、該テーパ形状の小径部３１ｄに前記クランク軸７のテーパ面７ｂが合致する構成となっている。
また、小径部３１ｄは該テーパ面の一部（図４乃至図６においては上部）に、軸心方向に向かって溝部３１ｅが形成されており、クランク軸７の一端部のテーパ面７ｂには、軸心方向にキー溝７ｃが形成され、該溝部３１ｅとキー溝７ｃにキーを挿入して空回りしないようにしている。
【００２４】
そして、前述したように、プーリーハブ３１は、ボス部３１ｆと縁部３１ｇより構成されており、図２に示すように、該ボス部８ａ外周とギアケース５の開口部５ａの間に、リング形状のオイルシール１３を介装して、オイルが漏れたり、水等がギアケース５内に浸入したりしないようにしている。
【００２５】
また、図２乃至図６に示すように、前記縁部３１ｇには、外周に沿って所定間隔毎にボルト孔３１ｈ・３１ｈ・・・が軸心と平行に設けられ、該ボルト孔３１ｈ・３１ｈ・・・内周にネジ溝が形成されている。なお、図５に示すように、本実施例では縁部３１ｇには３つのボルト孔３１ｈ・３１ｈ・３１ｈが形成されているが、３つに限定するものではない。
こうして、プーリーハブ３１の縁部３１ｇに外側プーリー３２を嵌め込んでボルト３３・３３・・・等によって相対回転不能に取り付けることができる。
【００２６】
また、前記貫通孔３１ｂの大径部３１ｃには、プーリー８（プーリーハブ３１）をクランク軸７に固設するための座金１５および固定螺子１６が挿入される。座金１５の径は、大径部３１ｃより小さく、小径部３１ｄより大きい径となっており、該座金１５を介して、固定螺子１６をクランク軸７の螺子穴７ａに締結することで、クランクプーリー８のプーリーハブ３１をクランク軸７に摺動不能に取付固定している。
【００２７】
次に、図７及び図８を用いて、外側プーリー３２について説明する。
外側プーリー３２は、スチール等で円盤状に形成され、該円盤の外径は該縁部３１ｇの外径よりも大きいものに形成され、縁部３１ｇの軸方向の幅（厚さ）より大きな幅（厚さ）となるように構成している。
そして、外側プーリー３２には、前述のように、プーリーハブ３１を嵌入するためのプーリーハブ嵌入孔３２ａが形成されている。詳しくは、プーリーハブ３１の縁部３１ｇを嵌入するために、該縁部３１ｇの外径と略同径の内径と、縁部３１ｇの幅と略同じ幅の深さをもつプーリーハブ嵌入孔３２ａがクランク軸側（エンジン側）に形成されている。こうして外側プーリー３２は、図７に示すように、プーリーハブ３１側が凹んだ形状、即ち側面断面視において略「凹」状に形成されている。
【００２８】
そして、外側プーリー３２外周には、ベルト等を巻回するための溝部３２ｃが形成されている。但し、巻回するベルトの種類や駆動構成に合わせて、溝部３２ｃの形状や位置は異なるものである。つまり、Ｖベルトの場合は図７に示すようになり、平ベルトの場合に溝がなく筒状となる。
また前述したように、外側プーリー３２の軸心部にはプーリーハブ３１の貫通孔３１ｂの大径部３１ｃに合わせた、貫通孔３２ｂが形成されており、該貫通孔３２ｂの内径は前記プーリーハブ３１の大径部３１ｃと略同径になるように形成されている。
【００２９】
そして、外側プーリー３２のプーリーハブ嵌入孔３２ａが位置する側面には、該外側プーリー３２にプーリーハブ３１の縁部３１ｇが嵌入された状態において、正面視で前記プーリーハブ３１に形成されたボルト孔３１ｈ・３１ｈ・・・と重なる位置にボルト孔３２ｄ・３２ｄ・・・が形成されており、該ボルト孔３２ｄ・３２ｄ・・・から該ボルト孔３１ｈ・３１ｈ・・・へボルト３３・３３・・・嵌入することにより、該外側プーリー３２を該プーリーハブ３１に相対回転不能に固定することだができる。
【００３０】
次に、クランクプーリー８のプーリーハブ３１をクランク軸７へ取り付ける方法について、図２を用いて説明する。
まず、前記ギアケース５の開口部５ａに、前記オイルシール１３を嵌装する。次に、オイルシール１３内周面に潤滑油を塗布し、同様に、プーリーハブ３１のボス部３１ｆの外周面にも、潤滑油を塗布する。これにより、プーリーハブ３１をオイルシール１３に嵌入しやすくすることができるとともに、嵌入した後のオイルシール１３のシール性を高めることが可能となっている。
尚、潤滑油は、プーリーハブ３１をクランク軸７に挿入した後に塗布することも可能である。
【００３１】
そして、プーリーハブ３１をクランク軸７に外嵌し、前記座金１５をプーリーハブ３１の貫通孔３１ｂに挿入し、前記固定螺子１６を該座金１５から螺子穴７ａに螺装することにより、プーリーハブ３１をクランク軸７に固定する。
【００３２】
プーリーハブ３１をクランク軸７に固設した後、外側プーリー３２を、該外側プーリー３２のプーリーハブ嵌入孔３２ａ内周がプーリーハブ３１の縁部３１ｇの外周に沿うようにして、クランク軸７方向に摺動する。そして、外側プーリー３２のボルト孔か３２ｄ・３２ｄ・３２ｄから、プーリーハブ３１のボルト孔３１ｈ・３１ｈ・３１ｈに向かってボルト３３・３３・３３を嵌入し、ボルト孔３１ｈ・３１ｈ・３１ｈにボルト３３・３３・３３を固設する。
【００３３】
このようにして、外側プーリー４２をプーリーハブ３１に摺動不能、且つ相対回転不能に固設する。但し、外側プーリー３２をプーリーハブ３１にボルト止めして一体化してから、クランクプーリー８をクランク軸７に取り付けるようにしても良い。
【００３４】
また、冷却ファンや冷却水ポンプの駆動とクランク軸７の駆動の回転比を変更する際において、プーリーハブ３１にボルト等によって固設されている外側プーリー３２を、径の異なる外側プーリー４２（図３に二点鎖線で表示）に交換する方法について、図３を用いて説明する。
【００３５】
まず、ボルト３３・３３・・・を、前記ボルト孔３１ｈ・３１ｈ・・・から取り外し、ボルト孔３２ｄ・３２ｄ・・・から抜き取る。
これによって、プーリーハブ嵌入孔３２ａ内周を縁部３１ｇの外周に沿わせながら、外側プーリー３２をエンジン１外側に向かって摺動させて、プーリーハブ３１から取り外すことが可能となる。このとき、プーリーハブ３１は，固定螺子１６によってクランク軸７に固設されたままである。
【００３６】
そして、外側プーリー３２をプーリーハブ３１から取り外すと、外側プーリー３２と径の異なる該外側プーリー４２のプーリーハブ嵌入孔の内周をプーリーハブ３１の縁部３１ｇの外周に沿わせながら、外側プーリー４２をクランク軸７方向に摺動させる。その後、外側プーリー４２のボルト孔から、プーリーハブ３１のボルト孔３１ｈ・３１ｈ・・・に向かってボルト３３・３３・３３を嵌入し、ボルト孔３１ｈ・３１ｈ・３１ｈにボルト３３・３３・３３を固設する。
このようにして、外側プーリー４２をプーリーハブ３１に摺動不能、且つ相対回転不能に固設する。
【００３７】
また、異なるＶベルトに対応させるために、図８に示すように、外側プーリー３２を、外側プーリー３２の溝部３２ｃと異なる形状の溝部５２ｃをもつ外側プーリー５２に変更する際にも、前述同様にして外側プーリー３２・５２の交換を行うことができる。
【００３８】
このように、エンジン１のクランク軸７の一端に取り付けるプーリー８において、
前記プーリー８をクランク軸７に取り付けるプーリーハブ３１と、ベルトを巻回する外側プーリー３２・４２・５２に分割したので、
ベルトの種類や駆動方式等に合わせて外側プーリー３２・４２・５２のみを変更することができるので、交換作業が容易にできる。また、外側プーリー３２・４２・５２のみ変更しプーリーハブ３１はそのまま使用できるので製造コストが低減できる。加えて、プーリー８の交換作業時にオイルシール１３のめくれ等の懸念がなくなる。
【００３９】
また、前記プーリーハブ３１を断面視「凸」状に構成し、外側プーリー３２を断面視「凹」状に構成したので、
プーリーハブ３１と外側プーリー３２の嵌合時に、接触面積を大きくすることができる。また、該嵌合状態において安定して回転力を伝えることができる。
【００４０】
また、前記プーリーハブ３１の一端に縁部３１ｇを設け、該縁部３１ｇと前記外側プーリー３２の側面にボルト孔３１ｈ・３２ｄをそれぞれ位置を合わせて開口し、ボルト３３にて両者を固定したので、
ボルト３３の着脱により簡単にプーリーハブ３１と外側プーリー３２を固定したり外したりできる。
【００４１】
また、前記プーリーハブ３１及び外側プーリー３２の軸心部に貫通孔３１ｂ・３２ｂを開口したので、
プーリーハブ３１と外側プーリー３２とを一体的に固定した状態でクランク軸７に対して着脱・固定することができる。更に外側に他のプーリーを連結することができ、出力の取出ができる。
【図面の簡単な説明】
【００４２】
【図１】本発明のクランクプーリー８を有するエンジン１の概略図
【図２】クランクプーリー８をクランク軸７に固設した状態を示す側面断面図。
【図３】外側プーリー３２をプーリーハブ３１に固設した状態を示す側面断面図。
【図４】プーリーハブ３１の側面断面図。
【図５】同じく正面図。
【図６】同じく背面図。
【図７】外側プーリー３２の側面断面図。
【図８】同じく正面図。
【図９】外側プーリー５２をプーリーハブ３１に固設した状態を示す側面断面図。
【図１０】従来のクランクプーリー６０を示す側面断面図。
【符号の説明】
【００４３】
１    エンジン
７    クランク軸
８    プーリー
１３    オイルシール
３１    プーリーハブ
３１ｂ    貫通孔
３１ｇ    縁部
３１ｈ    ボルト孔
３２・４２・５２    外側プーリー
３２ｂ    貫通孔
３２ｄ    ボルト孔
３３    ボルト
【図１】
2006183677.tif 000003
【図２】
2006183677.tif 000004
【図３】
2006183677.tif 000005
【図４】
2006183677.tif 000006
【図５】
2006183677.tif 000007
【図６】
2006183677.tif 000008
【図７】
2006183677.tif 000009
【図８】
2006183677.tif 000010
【図９】
2006183677.tif 000011
【図１０】
2006183677.tif 000012